(57)【特許請求の範囲】
【請求項１】
目地部を介して設けられた左右の建物の目地部側の一方の床躯体に後端部が取付具によって取付けられ、先端部が目地部側の他方の床躯体に反目地部側が傾斜面の床用目地プレート支持凹部に支持され、目地部が狭くなると先端部が他方の床躯体上へ突出する床用目地プレートを備える床用目地装置と、この床用目地装置が設けられた部位の左右の建物の壁面間の目地部を覆う壁用目地装置とを備える目地装置において、前記壁用目地装置は前記左右の建物の壁面間の目地部を前記床用目地プレートと隙間を有するように覆う少なくとも１個以上のコ字状あるいはリップミゾ形鋼形状の目地カバーと、この少なくとも１個以上の目地カバーを、前記目地部が広くなったり狭くなったりしても損傷することなく覆えるように前記左右の壁面に取付けられた目地カバー支持具と、前記目地カバーの下端部に上下方向にスライド移動可能に取付けられ、下端部の中央部が下方へ突出する山形状あるいは半円弧状のスライド目地カバーと、このスライド目地カバーの下端部の中央部に枢支された、該スライド目地カバーの下部の両端部を覆う前記床用目地プレートと当接する補助目地カバーとで構成したことを特徴とする目地装置。
【請求項２】
目地カバー支持具は一端部が目地部側の一方の壁面に枢支され、他端部が目地部側の他方の壁面に枢支され、かつ中央部に中央枢支部が形成された所定間隔離間されて配置される少なくとも２個以上の中央維持リンク機構と、この中央維持リンク機構の中央枢支部に枢支される支持バーと、この支持バーあるいは前記少なくとも２個以上の中央維持リンク機構の中央枢支部に目地カバーを取付ける取付具とで構成されていることを特徴とする請求項１記載の目地装置。
【請求項３】
目地カバー支持具は他端部が目地部側の他方の壁面に当接し、一端部が目地部側の一方の壁面に、他端部が水平方向に回動可能に取付けられた所定間隔離間されて配置された少なくとも２個以上の目地カバー取付金具と、この少なくとも２個以上の目地カバー取付金具の他端部を常時他方の壁面に当接するように付勢する付勢機構と、前記少なくとも２個以上の目地カバー取付金具に目地カバーを取付ける取付具とで構成されていることを特徴とする請求項１記載の目地装置。
【請求項４】
目地カバーは目地部の中央部を覆う常時目地部方向に付勢され、かつ両端部に反付勢方向が大きな幅寸法となる傾斜面が形成された中央目地カバーと、この中央目地カバーの両端部の傾斜面と先端部が面接触するような傾斜面に形成され、後端部が目地部側の一方の壁面と他方の壁面に取付けられた、該中央目地カバーの両端部の目地部を覆う端部目地カバーとで構成されていることを特徴する請求項１記載の目地装置。
【発明の詳細な説明】
【技術分野】
【０００１】
本発明は目地部を介して床面と壁面とを有する渡り通路等の部分で、地震で目地部が狭くなると床用目地プレートの先端部が床面上へ突出する床用目地装置を備えた目地装置に関する。
【背景技術】
【０００２】
従来、このような目地装置は壁面の目地部を覆う壁用目地装置の壁用目地カバーの上下面に上下方向にスライド移動するスライド目地カバーを設置して、左右の建物が地震時に異なる上下方向に揺れ動いても、その揺れ動きをスライド目地カバーの上下方向のスライド移動によって損傷することなく吸収することが考えられている。
【０００３】
しかしながら、最近、床用目地プレートを地震で目地部が狭くなると、先端部を上方へ回動できるようにして床面上へ突出させて、その地震の揺れ動きを吸収する床用目地装置が多く用いられるようになっているため、前述のスライド目地カバーを上下移動させる壁用目地装置では、床用目地プレートの回動による移動によって、スライド目地カバーには端部からの押し上げ力によって壁用目地カバーとスライド目地カバーがかみ、スライド目地カバーがスライド移動できなくなり、損傷してしまうという欠点があった。
【先行技術文献】
【特許文献】
【０００４】
【特許文献１】特許第３１９１２１４号公報
【発明の概要】
【発明が解決しようとする課題】
【０００５】
本発明は以上のような従来の欠点に鑑み、床用目地装置の床用目地プレートの先端部が、地震で目地部が狭くなった場合に、上方へ回動するように傾斜面になっても、壁用目地装置が損傷することなく、スムーズにスライドする移動ができ、かつ壁用目地部の開口を確実に阻止して、安全に使用することができる目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の建物の目地部側の一方の床躯体に後端部が取付具によって取付けられ、先端部が目地部側の他方の床躯体に反目地部側が傾斜面の目地プレート支持凹部に支持され、目地部が狭くなると先端部が他方の床躯体上へ突出する床用目地プレートを備える床用目地装置と、この床用目地装置が設けられた部位の左右の建物の壁面間の目地部を覆う壁用目地装置とを備える目地装置において、前記壁用目地装置は前記左右の建物の壁面間の目地部を前記床用目地プレートと隙間を有するように覆う少なくとも１個以上のコ字状あるいはリップミゾ形鋼形状の目地カバーと、この少なくとも１個以上の目地カバーを、前記目地部が広くなったり狭くなったりしても損傷することなく覆えるように前記左右の壁面に取付けられた目地カバー支持具と、前記目地カバーの下端部に上下方向にスライド移動可能に取付けられ、下端部の中央部が下方へ突出する山形状あるいは半円弧状のスライド目地カバーと、このスライド目地カバーの下端部の中央部に枢支された、該スライド目地カバーの下部の両端部を覆う前記床目地プレートと当接する補助目地カバーとで構成して、目地装置を構成している。
【発明の効果】
【０００８】
以上の説明から明らかなように、本発明にあっては次に列挙する効果が得られる。
（１）請求項１によって、地震で目地部が狭くなり、床用目地プレートの先端部が上方へ回動しても、壁用目地装置の補助目地カバーが床用目地プレートの回動方向と同様に回動するとともに、下端部が山形状あるいは半円弧状のスライド目地カバーの下端部の中央部と補助目地カバーが枢支されているため、スライド目地カバーに該スライド目地カバーが目地カバーに対してスライド移動を阻止するような力が加わるのを阻止できる。
したがって、床面が傾斜面となる移動が生じても、スライド目地カバーをスムーズに上方へ移動させることができる。
（２）前記（１）により、外壁間の目地部を目地カバー、スライド目地カバーおよび補助目地カバーで覆っているので、補助目地カバーが移動しても外壁間の目地部に隙間が生じることなく、安全に使用することができる。
（３）前記（１）により、補助目地カバーが床用目地プレートに当接して、該床用目地プレートと一体になって移動するため、床用目地プレートと補助目地カバーとの間に隙間が生じるのを防止できる。
したがって、床用目地プレートと補助目地カバーとの間の隙間に足が挟まれたりする不具合を確実に防止することができる。
（４）前記（１）によって、目地カバーにスライド目地カバーおよび、該スライド目地カバーの下方へ突出する中央部に補助目地カバーを枢支するだけでよいので、構造が簡単で、安価に設置することができる。
（５）請求項２、３は前記（１）〜（４）と同様な効果が得られる。
（６）請求項４は前記（１）〜（４）と同様な効果が得られるとともに、目地部が地震で狭くなるように揺れ動いた場合、中央目地カバーを前方へ突出させて、その揺れ動きを防止することができる。
【図面の簡単な説明】
【０００９】
【図１】本発明を実施するための第１の形態の平面図。
【図２】図１の２−２線に沿う断面図。
【図３】図２の３−３線に沿う断面図。
【図４】本発明を実施するための第１の形態の目地カバー支持具の説明図。
【図５】本発明を実施するための第１の形態の目地カバーの説明図。
【図６】本発明を実施するための第１の形態のスライド目地カバーの説明図。
【図７】本発明を実施するための第１の形態の補助目地カバーの説明図。
【図８】本発明を実施するための第１の形態の地震で目地部が狭くなった動作説明図。
【図９】本発明を実施するための第１の形態の地震で目地部が広くなった動作説明図。
【図１０】本発明を実施するための第２の形態の平面図。
【図１１】図１０の１１−１１線に沿う断面図。
【図１２】本発明を実施するための第２の形態の目地部が狭くなった動作説明図。
【図１３】本発明を実施するための第３の形態の平面図。
【図１４】図１３の１４−１４線に沿う断面図。
【図１５】本発明を実施するための第３の形態の目地部が狭くなった動作説明図。
【図１６】本発明を実施するための第４の形態の平面図。
【図１７】図１６の１７−１７線に沿う断面図。
【図１８】本発明を実施するための第４の形態の目地カバー支持具の説明図。
【図１９】本発明を実施するための第５の形態の平面図。
【図２０】図１９の２０−２０線に沿う断面図。
【図２１】本発明を実施するための第５の形態の異なる前後方向に揺れ動いた状態の説明図。
【発明を実施するための形態】
【００１０】
以下、図面に示す本発明を実施するための形態により、本発明を詳細に説明する。
【００１１】
図１ないし図９に示す本発明を実施するための第１の形態において、１は目地部２を介して設けられた左右の建物３、３の目地部２を、地震の揺れ動きを吸収できるように覆うことができる本発明の目地装置で、この目地装置１は床用目地装置４と壁用目地装置５で構成されている。
【００１２】
前記床用目地装置４は前記左右の建物３、３の目地部側の一方の建物３の床躯体３ａに形成された床用目地プレート支持凹部６と、前記左右の建物３、３の目地部側の他方の建物３の床躯体３ａに反目地部側が傾斜面７に形成された、前記目地部２のほぼ半分の幅寸法の床用目地プレートスライド支持凹部８と、前記床用目地プレート支持凹部６に後端部が支持され、先端部が前記床用目地プレートスライド支持凹部８に支持された床用目地プレート９と、前記床用目地プレート支持凹部６に、前記床用目地プレート９の先端部が上方へ回動できるように取付ける取付具としての、該床用目地プレート支持凹部６に固定された係止ピン１０、１０、この係止ピン１０、１０と係合する、該床用目地プレート９の後部両側底面に形成された係止穴１１、１１とで構成されている。
【００１３】
前記壁用目地装置５は目地部側の一方の建物３の壁面３ｂに一端部が枢支ピン１２で枢支され、他端部が目地部側の他方の建物３の壁面３ｂに枢支ピン１２で枢支され、中央部に中央枢支部１３が形成された伸縮可能で、かつ所定間隔離間されて配置された少なくとも２個以上の中央維持リンク機構１４、１４を備える目地カバー支持具１５と、この目地カバー支持具１５に取付けられた前記目地部側の壁面３ｂ、３ｂに両端部が当接し、前記床用目地プレート９との間に隙間１６を有するように配置されたリップミゾ形鋼形状の目地カバー１７と、この目地カバー１７の下端部に上下方向にスライド移動可能に取付けられた下端部の中央部が下方へ突出する山形状のスライド目地カバー１８と、このスライド目地カバー１８の下端部の中央部と枢支ピン１９で枢支されて回動でき、該スライド目地カバー１８の下端部の両端部を覆い、かつ前記床用目地プレート９と当接するほぼＬ字状の補助目地カバー２０とで構成されている。
【００１４】
なお、前記スライド目地カバー１８と補助目地カバー２０とを枢支する枢支ピン１９は内側から見えないように取付けてもよい。
【００１５】
前記目地カバー支持具１５は少なくとも２個以上の中央維持リンク機構１４、１４と、この少なくとも２個以上の中央維持リンク機構１４、１４の中央枢支部１３、１３に枢支ピン２１、２１で枢支された支持バー２２と、この支持バー２２に所定間隔で中央部が固定された前記目地カバー１７を複数本のタッピングビス２３等で取付けるためのカバー取付板２４、２４、２４とで構成されている。  
上記構成の目地装置１は、通常時には左右の建物３、３の左右の床躯体間の目地部２は床用目地プレート９で覆われ、壁面３ｂ、３ｂ間の目地部２は目地カバー１７、スライド目地カバー１８および補助目地カバー２０で覆われた状態となっている。
【００１６】
地震で目地部２が狭くなるように左右の建物３、３が揺れ動いた場合、図８に示すように床用目地プレート９の先端部が他方の建物３の床用目地プレートスライド支持凹部８の傾斜面７をスライド移動して他方の建物３の床面上へ突出し、その揺れ動きを吸収するとともに、この床用目地プレート９の先端部の上方への回動よって、壁用目地装置５の補助目地カバー２０は床用目地プレート９とほぼ一体状態で回動し、スライド目地カバー１８を目地カバー１７内へ押し込むようにスライド移動させる。
【００１７】
この時、補助目地カバー２０の回動は枢支ピン１９で枢支されたスライド目地カバー１８には伝わらず、スライド目地カバー１８はスムーズに目地カバー１７に対してスライド移動するとともに、目地カバー１７の両端部は左右の建物３、３の左右の壁面３ｂ、３ｂをスライド移動して、その揺れ動きを吸収することができる。
【００１８】
地震で目地部２が広くなるように左右の建物３、３が揺れ動いた場合、図９に示すように床用目地プレート９の先端部は床用目地プレートスライド支持凹部８をスライド移動し、その揺れ動きを吸収するとともに、壁用目地装置５の目地カバー１７の両端部は左右の建物３、３の左右の壁面３ｂ、３ｂをスライド移動し、かつ補助目地カバー２０も床用目地プレート９とスライド移動して、その揺れ動きを吸収することができる。
【００１９】
[発明を実施するための異なる形態]
次に、図１０ないし図２１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２０】
図１０ないし図１２に示す本発明を実施するための第２の形態において、前記本発明を実施するための第１の形態と主に異なる点は、左右の建物３、３の壁面３ｂ、３ｂ間の目地部２の中央部を覆い、かつ両端部に反目地カバー支持具１５側が両端部方向に突出する傾斜面２５、２５に形成された中央目地カバー２６を目地カバー支持具１５の中央枢支部１３、１３に枢支され、該中央目地カバー２６を常時目地カバー支持具１５方向に付勢スプリング２７、２７で付勢するように取付けるとともに、前記左右の建物３、３の目地部側壁面３ｂ、３ｂに後端部が固定具２８、２８で固定され、先端部が前記中央目地カバー２６の両端部の傾斜面２５、２５と面接触する傾斜面２９、２９に形成された端部目地カバー３０、３０を用い、かつ前記中央目地カバー２６、端部目地カバー３０、３０の下端部にスライド目地カバー１８、１８、１８、補助目地カバー２０、２０、２０を取付けた壁用目地装置５Ａを用いた点で、このような壁用目地装置５Ａを用いて構成した目地装置１Ａにしても、前記本発明を実施するための第１の形態と同様な作用効果が得られるとともに、目地部２が狭くなるような揺れ動き時に、中央目地カバー２６を前方へ突出させて、その揺れ動きを吸収することができる。
【００２１】
なお、補助目地カバー２０、２０、２０にＬ字状に形成したものを使用する場合には、床用目地プレート９と当接する部分で、隣り合う補助目地カバー２０、２０、２０と衝突しないように、一方が乗り上げるような形状に加工したり、板状の補助目地カバーを用いることにより、目地部２が狭くなった場合の補助目地カバー２０、２０、２０の衝突を効率よく防止することができる。
【００２２】
図１３ないし図１５に示す本発明を実施するための第３の形態において、前記本発明を実施するための第２の形態と主に異なる点は、端部目地カバー３０、３０のほぼ中央上面にスライド移動可能に中央目地カバー２６の両端部を位置させるとともに、下端部を円弧状に突出させたスライド目地カバー１８Ａ、１８Ａ、１８Ａを用いた壁用目地装置５Ｂを用いた点で、このような壁用目地装置５Ｂを用いて構成した目地装置１Ｂにしても、前記本発明を実施するための第２の形態と同様な作用効果が得られる。
【００２３】
図１６ないし図１８に示す本発明を実施するための第４の形態において、前記本発明を実施するための第１の形態と主に異なる点は、目地カバー支持具１５Ａで、この目地カバー支持具１５Ａは他端部が目地部側の他方の壁面３ｂに当接し、一端部が目地部側の一方の壁面３ｂに、他端部が水平方向に回動可能に取付けられた所定間隔離間されて配置された少なくとも２個以上の目地カバー取付金具３２．３２，３２と、この少なくとも２個以上の目地カバー取付金具取付金具３２．３２，３２の他端部を常時他方の壁面３ｂに当接するようにスプリング３３で付勢する付勢機構３４、３４、３４と、前記少なくとも２個以上の目地カバー取付金具取付金具３２．３２，３２に目地カバー１７を取付ける複数個のタッピングビス等の取付具３５で構成されている。
【００２４】
このように構成された目地カバー支持具１５Ａを使用した壁用目地装置５Ｃを用いて構成した目地装置１Ｃにしても、前記本発明を実施するための第１の形態と同様な作用効果が得られる。
【００２５】
図１９ないし図２１に示す本発明を実施するための第５の形態において、前記本発明を実施するための第１の形態と主に異なる点は、床用目地プレート９の先端部が移動する位置まで他方の建物３の壁面３ｂを除去するとともに、少なくとも２個以上の中央維持リンク機構１４、１４の両端部をヒンジ部材３１、３１で左右の建物３、３の目地部側の壁面３ｂ、３ｂに取付け、地震での異なる前後方向の揺れ動きも吸収できるようにした壁用目地装置５Ｃを用いた点で、このような壁用目地装置５Ｄを用いて構成した目地装置１Ｄにしても、前記本発明を実施するための第１の形態と同様な作用効果が得られるとともに、地震時の異なる前後方向の揺れ動きも吸収することができる。
【００２６】
なお、前記本発明を実施するための各形態では、四角枠状の中央維持リンク機構１４、１４を用いた目地カバー支持具１５を使用したが、本発明はこれに限らず、パンタグラフ形状の中央維持リンク機構を用いても、同様な作用効果が得られる。
【００２７】
また、左右の建物３、３の目地部側の壁面３ｂ、３ｂのいずれか一方の壁面３ｂに、先端部が水平方向に回動できるように後端部が取付けられ、先端部を常時他方の壁面３ｂに当接するように付勢された構造の目地カバー支持具を用いてもよい。
【産業上の利用可能性】
【００２８】
本発明は左右の建物間の床と壁面間の目地部を覆う床用目地装置と壁用目地装置を備える目地装置を製造する産業で利用される。
【符号の説明】
【００２９】
１、１Ａ、１Ｂ、１Ｃ、１Ｄ：目地装置、
２：目地部、        ３：建物、
４：床用目地装置、
５、５Ａ、５Ｂ、５Ｃ、５Ｄ：壁用目地装置、  
６：床用目地プレート支持凹部、  ７：傾斜面、
８：床用目地プレートスライド支持凹部、
９：床用目地プレート、    １０：係止ピン、
１１：係止穴、      １２：枢支ピン、
１３：中央枢支部、      １４：中央維持リンク機構、
１５、１５Ａ：目地カバー支持具、
１６：隙間、                  １７：目地カバー、
１８：スライド目地カバー、
１９：枢支ピン、      ２０：補助目地カバー、
２１：枢支ピン、      ２２：支持バー、
２３：タッピングビス、    ２４：カバー取付板、
２５：傾斜面、      ２６：中央目地カバー、
２７：付勢スプリング、    ２８：固定具、
２９：傾斜面、      ３０：端部目地カバー、
３１：ヒンジ部材、            ３２：目地カバー取付金具、
３３：スプリング、            ３４：付勢機構、
３５：取付具。
【図１】
0005329591.tif 000002
【図２】
0005329591.tif 000003
【図３】
0005329591.tif 000004
【図４】
0005329591.tif 000005
【図５】
0005329591.tif 000006
【図６】
0005329591.tif 000007
【図７】
0005329591.tif 000008
【図８】
0005329591.tif 000009
【図９】
0005329591.tif 000010
【図１０】
0005329591.tif 000011
【図１１】
0005329591.tif 000012
【図１２】
0005329591.tif 000013
【図１３】
0005329591.tif 000014
【図１４】
0005329591.tif 000015
【図１５】
0005329591.tif 000016
【図１６】
0005329591.tif 000017
【図１７】
0005329591.tif 000018
【図１８】
0005329591.tif 000019
【図１９】
0005329591.tif 000020
【図２０】
0005329591.tif 000021
【図２１】
0005329591.tif 000022